(57)【要約】【課題】音楽再生装置において、シャッフル再生時にユーザが次の曲を再生前に確認できると共に、次の曲の再選択の指示を簡単に行うことができるようにする。【解決手段】制御用マイコンは、全ての画像を回転しているように表示させ（Ｓ１１）、ジャンル画像の回転を停止させて、選択条件を満たすジャンル画像を特定の位置に停止させる（Ｓ１２）。そして、このジャンル画像に対応するアルバム画像を表示し（Ｓ１３）、アルバム画像の回転を停止させて、このアルバム画像を特定の位置に停止させる（Ｓ１４）。そして、制御用マイコンは、１つのアルバム画像に対応するアルバムに含まれる曲画像を表示し（Ｓ１５）、曲画像の回転を停止させて、１つの曲画像を特定の位置に停止させる（Ｓ１６）。選択された曲をユーザが気にいらない場合（Ｓ１７でＹＥＳ）、再選択が指示され（Ｓ１８）、制御用マイコンは、上記Ｓ１１以降の処理を再度行う。【選択図】図３
2009048748.tif 000002
【特許請求の範囲】
【請求項１】
アーティスト名や音楽ジャンルや曲名の情報を含む曲のデータを記録するための記録手段と、
ユーザによって操作される操作手段と、
前記曲名等を表示するための表示手段と、
前記記録手段に記録された曲の中から再生する曲を選択するための再生曲選択手段と、
前記再生曲選択手段により選択された曲を再生するための再生手段と、
装置各部を制御するための制御手段とを備えた音楽再生装置において、
再生する曲を選択するための条件を記録する選択条件記録手段をさらに備え、
前記再生曲選択手段は、前記選択条件記録手段に記録された条件に基づいて曲を選択し、
前記制御手段は、
前記再生手段による前曲の再生中に、前記再生曲選択手段を用いて、前記記録手段に記録された曲の中から次に再生する曲を選択すると共に、選択された曲名を前記表示手段に表示し、
ユーザにより前記操作手段が操作されて、次に再生する曲の変更が指示されたとき、前記再生曲選択手段を用いて、再度、前記記録手段の中から次に再生する曲を選択すると共に、選択された曲名を前記表示手段に表示することを特徴とする音楽再生装置。
【請求項２】
前記記録手段には、各曲のジャンルを示すジャンル画像コンテンツ、各曲のアーティスト名を示すアーティスト名画像コンテンツ、各曲のアルバムのジャケットを示すアルバム画像コンテンツ、及び各曲に対応した曲画像コンテンツのうち少なくとも２種類以上の各種画像コンテンツがさらに記録され、
前記制御手段は、
前記再生曲選択手段を用いて再生する曲を選択するとき、前記表示手段に、前記選択条件記録手段に記録された条件を満たす曲の前記各種画像コンテンツを回転させて表示し、
前記各種画像コンテンツの回転を止めたとき、特定の位置に止まっている該各種画像コンテンツに対応する曲を選択することを特徴とする請求項１に記載の音楽再生装置。
【発明の詳細な説明】
【技術分野】
【０００１】
本発明は、音楽再生装置に関する。
【背景技術】
【０００２】
従来から、複数の曲のデータを記録することができ、記録された曲の中から再生する曲を選択して再生するミュージックプレーヤ（音楽再生装置）がある。この種のミュージックプレーヤにおいて、プレーヤが記録した曲の中から次の再生曲を自動的にランダム抽出して決定するシャッフル再生を行う機能を有するものがある。従来のシャッフル再生では、ユーザが次に再生される曲を知ることができない。そのため、ユーザは、曲の再生の開始後に、所望の曲か否かを判断しなければならず、使い勝手が悪いという問題がある。
【０００３】
ところで、特許文献１には、マトリクス状に配列されるスロットマシンを模擬した画像を表示部に表示することができる携帯電話が開示されている。この携帯電話は、同一アーティストの曲名の画像が横一列に表示されたとき、ユーザが所望の曲をダウンロードできるものであり、上記問題を解決できない。
【特許文献１】特開２００６−３１８４２１号公報
【発明の開示】
【発明が解決しようとする課題】
【０００４】
本発明は、上記問題を解決するためになされたものであり、シャッフル再生において、ユーザが次の曲を再生前に確認できると共に、次の曲の再選択の指示を簡単に行うことができ、ユーザにとって使い勝手の良い音楽再生装置を提供することを目的とする。
【課題を解決するための手段】
【０００５】
上記目的を達成するために請求項１の発明は、アーティスト名や音楽ジャンルや曲名の情報を含む曲のデータを記録するための記録手段と、ユーザによって操作される操作手段と、前記曲名等を表示するための表示手段と、前記記録手段に記録された曲の中から再生する曲を選択するための再生曲選択手段と、前記再生曲選択手段により選択された曲を再生するための再生手段と、装置各部を制御するための制御手段とを備えた音楽再生装置において、再生する曲を選択するための条件を記録する選択条件記録手段をさらに備え、前記再生曲選択手段は、前記選択条件記録手段に記録された条件に基づいて曲を選択し、前記制御手段は、前記再生手段による前曲の再生中に、前記再生曲選択手段を用いて、前記記録手段に記録された曲の中から次に再生する曲を選択すると共に、選択された曲名を前記表示手段に表示し、ユーザにより前記操作手段が操作されて、次に再生する曲の変更が指示されたとき、前記再生曲選択手段を用いて、再度、前記記録手段の中から次に再生する曲を選択すると共に、選択された曲名を前記表示手段に表示するものである。
【０００６】
請求項２の発明は、請求項１に記載の音楽再生装置において、前記記録手段には、各曲のジャンルを示すジャンル画像コンテンツ、各曲のアーティスト名を示すアーティスト名画像コンテンツ、各曲のアルバムのジャケットを示すアルバム画像コンテンツ、及び各曲に対応した曲画像コンテンツのうち少なくとも２種類以上の各種画像コンテンツがさらに記録され、前記制御手段は、前記再生曲選択手段を用いて再生する曲を選択するとき、前記表示手段に、前記選択条件記録手段に記録された条件を満たす曲の前記各種画像コンテンツを回転させて表示し、前記各種画像コンテンツの回転を止めたとき、特定の位置に止まっている該各種画像コンテンツに対応する曲を選択するものである。
【発明の効果】
【０００７】
請求項１の発明によれば、次に再生する曲名に対応する曲画像コンテンツが表示手段に表示されるので、ユーザは、簡単に次曲を知ることができる。また、ユーザにより操作手段が操作されて、次に再生する曲の変更が指示されたとき、再度、再生する曲を選択することができるので、次に再生する曲の再選択の指示を容易に行うことができる。従って、ユーザにとって使い勝手がよい。
【０００８】
請求項２の発明によれば、再生する曲を選択するとき、表示手段に各種画像コンテンツを回転させて表示し、各種画像コンテンツの回転を止めたとき、特定の位置に止まっている各種画像コンテンツに対応する曲を選択する。そのため、視覚的なエンターテイメント性が高いので、ユーザを飽きさせない。
【発明を実施するための最良の形態】
【０００９】
以下、本発明の一実施形態に係るミュージックプレーヤ（音楽再生装置）について、図１を参照して説明する。図１はミュージックプレーヤ１の内部構成を示すブロック図である。
【００１０】
ミュージックプレーヤ１は、アーティスト名や音楽ジャンルや曲名の情報を含む曲のデータを記録するためのハードディスク（ＨＤＤ；請求項における記録手段）１２と、ユーザによって操作される操作部（操作手段）１３と、画像コンテンツ等を表示するための表示部（表示手段）１４と、装置各部を制御するための制御用マイコン（制御手段）１１と、制御用マイコン１１を動作させるプログラム等を一時的に記憶するメモリ１５とを備える。
【００１１】
ＨＤＤ１２には、曲に対応する曲画像コンテンツ（以下、曲画像という）や、曲のジャンルを示すジャンル画像コンテンツ（以下、ジャンル画像という）や、曲のアーティスト名を示すアーティスト名画像コンテンツ（以下、アーティスト名画像という）や、曲が収録されているアルバムのジャケットを示すアルバム画像コンテンツ（以下、アルバム画像という）等の各種画像コンテンツが記録されている。
【００１２】
操作部１３は、ユーザによって操作され、曲の再生操作や、再生する曲を選択するための条件に関する情報の入力操作に用いられる。
【００１３】
表示部１４は、タッチパネルを有しており、ユーザが表示画面に触れることにより、各種操作を行うことができる。
【００１４】
制御用マイコン１１は、請求項における再生手段、選択条件記録手段、及び再生曲選択手段として機能する。また、制御用マイコン１１は、ユーザによって選択された曲を順に再生する通常再生モードと、自動的、又は半自動的に曲をランダムに再生する（シャッフル再生する）シャッフルモードで動作する。
【００１５】
次に、ミュージックプレーヤ１をシャッフルモードで動作させた場合の処理手順について、図２に示すフローチャートを参照して説明する。まず、ユーザが操作部１３を操作して、選択条件を設定すると（Ｓ１）、制御用マイコン１１は、ＨＤＤ１２に記録されている曲の中から、上記Ｓ１で設定された選択条件を満たす再生曲を自動的に選択する再生曲選択処理を行い（Ｓ２）、選択した曲を再生する（Ｓ３）。なお、上記Ｓ２の処理の詳細については後述する。
【００１６】
そして、制御用マイコン１１は、上記Ｓ３において再生している曲が終了する前に（前曲の再生中に）（Ｓ４）、再度Ｓ２の処理を行い、次に再生する曲を選択する。一方、前曲の再生が終了したとき（Ｓ４でＮＯ）、上記Ｓ２で選択された曲を再生する（Ｓ３）。
【００１７】
次に、上記Ｓ２の再生曲選択処理の詳細について、図３に示すフローチャートを参照して説明する。ここでは、曲のジャンルについて選択条件を設定し、表示部１４には、ジャンル画像、アルバム画像、及び曲画像が表示されるものとする。
【００１８】
まず、制御用マイコン１１は、表示部１４に表示される全ての画像を回転しているように表示させ（Ｓ１１）、ジャンル画像の回転を停止させて、選択条件を満たすジャンルに対応する１つのジャンル画像を特定の位置に停止させる（Ｓ１２）。なお、ユーザにより停止指示がなされたタイミングに応じて１つのジャンル画像を特定の位置に停止させてもよい。
【００１９】
そして、制御用マイコン１１は、上記Ｓ１２で特定の位置に停止されたジャンル画像が示すジャンルに対応するアルバム画像を表示し（Ｓ１３）、アルバム画像の回転を停止させて、１つのアルバム画像を特定の位置に停止させる（Ｓ１４）。なお、ユーザにより停止指示がなされたタイミングに応じて１つのアルバム画像を特定の位置に停止させてもよい。
【００２０】
そして、制御用マイコン１１は、上記Ｓ１４で特定の位置に停止されたアルバム画像が示すアルバムに含まれる曲の曲画像を表示し（Ｓ１５）、曲画像の回転を停止させて、１つの曲画像を特定の位置に停止させる（Ｓ１６）。なお、ユーザにより停止指示がなされたタイミングに応じて１つの曲画像を特定の位置に停止させてもよい。
【００２１】
上記Ｓ１６の処理によって選択された曲をユーザが気に入った場合（Ｓ１７でＮＯ）、制御用マイコン１１は、この曲を選択して処理を終了する。一方、上記Ｓ１６の処理によって選択された曲をユーザが気にいらない場合（Ｓ１７でＹＥＳ）、ユーザによって再選択が指示され（Ｓ１８）、制御用マイコン１１は、上記Ｓ１１以降の処理を再度行う。なお、選択されたジャンルがユーザにとって所望のものであり、アルバムと曲とを再選択したい場合、制御用マイコン１１は、上記Ｓ１３以降の処理を繰り返すものであってもよい。また、選択されたジャンルとアルバムがユーザにとって所望のものであり、曲のみを再選択したい場合、制御用マイコン１１は、上記Ｓ１５以降の処理を繰り返すものであってもよい。
【００２２】
次に、上記図３に示した再生曲選択処理における表示部１４の表示について、図４及び図５を参照して説明する。図４及び図５は、表示部１４に表示される各種画像の説明図である。表示部１４には、ジャンル画像が表示されるジャンル画像エリア２１と、アルバム画像が表示されるアルバム画像エリア２２と、曲画像が表示される曲画像エリア２３と、ジャンル画像の回転の停止を指示するためのジャンル停止ボタン３１と、アルバム画像の回転の停止を指示するためのアルバム停止ボタン３２と、曲画像の回転の停止を指示するための曲停止ボタン３３と、請求項における特定の位置を示す基準線５１とが表示されている。
【００２３】
また、表示部１４には、選択されたジャンルを表示するためのジャンル表示エリア４１と、選択されたアルバムを表示するためのアルバム表示エリア４２と、選択された曲名とそのトラック番号を表示するための曲表示エリア４３と、曲の再選択の指示等を行うための戻るボタン３４とがさらに表示されている。
【００２４】
全ての画像を回転させるとき（上記Ｓ１１に相当）、図４に示すように、ジャンル画像エリア２１には、選択条件を満たすジャンルのジャンル画像が回転されて表示される。このとき、アルバム画像エリア２２と、曲画像エリア２３には、「？」マークの画像が回転されて表示されている。ジャンル表示エリア４１、アルバム表示エリア４２、及び曲表示エリア４３にはそれぞれ「？？？」が表示されている。なお、アルバム画像エリア２２と、曲画像エリア２３の表示は、これに限られない。また、ジャンル表示エリア４１、アルバム表示エリア４２、及び曲表示エリア４３の表示は空白でもよい。
【００２５】
アルバム画像エリア２１の画像は、ジャンルの選択完了後に表示される（上記Ｓ１３に相当）。曲画像エリア２３の画像は、アルバムの選択完了後に表示される（上記Ｓ１５に相当）。
【００２６】
曲の選択の終了時には（上記Ｓ１７に相当）、図５に示すように、ジャンル画像エリア２１、アルバム画像エリア２２、及び曲画像エリア２３のそれぞれの画像のうちの１つが基準線５１の位置に停止している。ここでは、ジャンルにＪ−ＰＯＰが選択され、アルバムにアルバム（イ）が選択され、曲に曲名ＡＡが選択されているものとする。このとき、ジャンル表示エリア４１には、「Ｊ−ＰＯＰ」が表示され、アルバム表示エリア４２には、「アルバム（イ）」が表示され、曲表示エリア４３には「０８−曲名ＡＡ」が表示される。
【００２７】
上述したように、上記の一実施形態に係るミュージックプレーヤ１によれば、次に再生する曲の曲名が表示部１４に表示されるので、ユーザは、簡単に次曲を知ることができる。また、ユーザにより操作部１３が操作されて、次に再生する曲の変更が指示されたとき、再度、再生する曲を選択することができるので、次に再生する曲の再選択の指示を容易に行うことができる。従って、ユーザにとって使い勝手がよい。
【００２８】
また、再生する曲を選択するとき、表示部１４に各種画像を回転させて表示し、各種画像の回転を止めたとき、基準線５１の位置に止まっている各種画像に対応する曲を選択する。そのため、視覚的にエンターテイメント性が高いので、ユーザを飽きさせない。
【００２９】
なお、本発明は上記実施形態の構成に限定されるものではなく、発明の趣旨を変更しない範囲で適宜に種々の変形が可能である。例えば、上記実施形態では、音楽再生装置をミュージックプレーヤ１に適用した場合について説明したが、パーソナルコンピュータに適用してもよい。また、上記Ｓ２の再生曲選択処理において、再生する曲を、ジャンル、アルバム、曲名の順に絞り込んで選択したが、これに限られず、アーティスト名、アルバム、曲等のユーザ所望の条件で絞り込むことにより、曲を選択してもよい。
【図面の簡単な説明】
【００３０】
【図１】本発明の一実施形態に係るミュージックプレーヤの内部構造を示すブロック図。
【図２】上記ミュージックプレーヤの曲の再生処理の手順を示すフローチャート。
【図３】上記再生処理における再生曲選択処理の手順を示すフローチャート。
【図４】上記ミュージックプレーヤの表示部に表示される再生曲選択画面の説明図。
【図５】上記ミュージックプレーヤの表示部に表示される再生曲選択画面の説明図。
【符号の説明】
【００３１】
１  ミュージックプレーヤ（音楽再生装置）
１１  制御用マイコン（制御手段、再生手段、選択条件記録手段、再生曲選択手段）
１２  ＨＤＤ（記録手段）
１３  操作部（操作手段）
１４  表示部（表示手段）
【図１】
2009048748.tif 000003
【図２】
2009048748.tif 000004
【図３】
2009048748.tif 000005
【図４】
2009048748.tif 000006
【図５】
2009048748.tif 000007